(57)【要約】【課題】記入用紙への手書き情報を印刷情報と共に格納し、必要に応じて表示するシステムの提供。【解決手段】記入用紙１０及びデータ入力ペン１００を備える用紙情報出力システム５００において、記入用紙１０は、記入用紙１０の視認できる印刷内容をコード化して記録しているＩＣチップ２０と、記入用紙１０の記入箇所に印刷され、記入用紙上の座標を特定する座標特定パターン１２とを有し、データ入力ペン１００は、ＩＣチップ２０から印刷内容を読み取り、手書きデータを記入する間に逐次読み取る座標特定パターン１２の履歴に基づいて記入用紙１０への手書きデータを認識し、認識した手書きデータと読み取った印刷内容とを対応付けて出力する。【選択図】  図１
2004249491.tif 000002
【特許請求の範囲】
【請求項１】
記入用紙であって、
視認できる前記記入用紙の印刷内容をコード化して記録している印刷内容記録部と、
前記記入用紙の記入箇所に印刷され、前記記入用紙上の座標を特定する座標特定パターンと
を備えることを特徴とする記入用紙。
【請求項２】
前記印刷内容記録部は、バーコードであることを特徴とする請求項１に記載の記入用紙。
【請求項３】
前記印刷内容記録部は、磁気的データ記録手段であることを特徴とする請求項１に記載の記入用紙。
【請求項４】
前記印刷内容記録部は、光学的データ記録手段であることを特徴とする請求項１に記載の記入用紙。
【請求項５】
前記印刷内容記録部は、外部から無線で供給される電力により動作し、記録しているデータを無線で出力するＩＣチップであることを特徴とする請求項１に記載の記入用紙。
【請求項６】
前記ＩＣチップは、無線によるデータの書き込みが可能であり、前記記入用紙に手書きデータを書き込むデータ入力ペンが、前記手書きデータの書き込み中に前記座標特定パターンを逐次読み取ることにより前記記入用紙に書き込まれた前記手書きデータを認識し、認識した前記手書きデータを出力したことに応じて、前記ＩＣチップは前記手書きデータを受信して格納することを特徴とする請求項５に記載の記入用紙。
【請求項７】
前記ＩＣチップは、前記データ入力ペンにより前記手書きデータが認識された日時を前記データ入力ペンから受信して更に格納することを特徴とする請求項６に記載の記入用紙。
【請求項８】
前記記入用紙への手書きデータを記入領域毎に無効にする訂正チェック領域が前記データ入力ペンによって認識可能に印刷されており、前記訂正チェック領域がチェックされた旨を前記データ入力ペンから取得した場合に、前記ＩＣチップは当該訂正チェック領域に対応する記入領域に既に書き込まれていた手書きデータの少なくとも一部を無効にすることを特徴とする請求項６に記載の記入用紙。
【請求項９】
更に、前記手書きデータの少なくとも一部が無効にされた前記記入領域に対応付けて設けられた予備の記入領域に書き込まれる手書きデータを訂正データとして前記データ入力ペンから受信した場合に、前記ＩＣチップは、前記無効にした前記手書きデータを前記訂正データで上書きすることを特徴とする請求項８に記載の記入用紙。
【請求項１０】
チェックされることにより、ユーザによる前記記入用紙への記入が完了したことを示す完了チェック領域をさらに備え、
前記ＩＣチップは、前記完了チェック領域がチェックされた旨を前記データ入力ペンから受信したことに応じて、データの書き込みを禁止することを特徴とする請求項６に記載の記入用紙。
【請求項１１】
記入用紙の情報を読み取る用紙情報読取装置であって、
前記記入用紙に設けられ前記記入用紙の視認できる印刷内容をコード化して記録している印刷内容記録部から、前記印刷内容を読み取る印刷内容読取部と、
前記記入用紙の記入箇所に印刷され前記記入用紙上の座標を特定する座標特定パターンを、前記記入用紙に手書きデータを書き込むデータ入力ペンが逐次読み取った履歴に基づいて、前記記入用紙に書き込まれた前記手書きデータを認識する手書きデータ認識部と、
前記手書きデータ認識部が認識した前記手書きデータと前記印刷内容読取部が読み取った印刷内容とを対応付けて出力する出力部と
を備えることを特徴とする用紙情報読取装置。
【請求項１２】
前記手書きデータ認識部が認識した前記手書きデータを前記印刷内容記録部に書き込む書込部を更に備えることを特徴とする請求項１１に記載の用紙情報読取装置。
【請求項１３】
前記書込部は、前記手書きデータ認識部が前記手書きデータを認識した日時を更に前記印刷内容記録部に書き込むことを特徴とする請求項１２に記載の用紙情報読取装置。
【請求項１４】
記入用紙及び用紙情報読取装置を備え、前記記入用紙が含む情報を出力する用紙情報出力システムであって、
前記記入用紙は、
前記記入用紙の視認できる印刷内容をコード化して記録している印刷内容記録部と、
前記記入用紙の記入箇所に印刷され、前記記入用紙上の座標を特定する座標特定パターンと
を有し、
前記用紙情報読取装置は、
前記印刷内容記録部から、前記印刷内容を読み取る印刷内容読取部と、
前記記入用紙に手書きデータを書き込むデータ入力ペンが前記座標特定パターンを逐次読み取った履歴に基づいて、前記記入用紙に書き込まれた前記手書きデータを認識する手書きデータ認識部と、
前記手書きデータ認識部が認識した前記手書きデータと前記印刷内容読取部が読み取った印刷内容とを対応付けて出力する出力部と
を有することを特徴とする用紙情報出力システム。
【請求項１５】
記入用紙の情報を読み取るコンピュータ用のプログラムであって、
前記記入用紙に設けられ前記記入用紙の視認できる印刷内容をコード化して記録している印刷内容記録部から、前記印刷内容を読み取る印刷内容読取機能と、
前記記入用紙の記入箇所に印刷され前記記入用紙上の座標を特定する座標特定パターンを、前記記入用紙に手書きデータを書き込むデータ入力ペンが逐次読み取った履歴に基づいて、前記記入用紙に書き込まれた前記手書きデータを認識する手書きデータ認識機能と、
前記手書きデータ認識機能によって認識された前記手書きデータと前記印刷内容読取機能によって読み取られた印刷内容とを対応付けて出力する出力機能と
を前記コンピュータに実現させることを特徴とするプログラム。
【発明の詳細な説明】
【０００１】
【発明の属する技術分野】
本発明は、記入用紙、用紙情報読取装置、用紙情報出力システム、及びプログラムに関する。特に本発明は、記入用紙に含まれる情報を出力する記入用紙、用紙情報読取装置、用紙情報出力システム、及びプログラムに関する。
【０００２】
【従来の技術】
記入用紙への手書きデータをデジタルデータとして認識し、外部のコンピュータに出力する技術としてアノト（登録商標）ペンの技術が知られている（例えば非特許文献１）。
【０００３】
【非特許文献１】
“ａｎｏｔｏｆｕｎｃｔｉｏｎａｌｉｔｙ”、［ｏｎｌｉｎｅ］、ＡｎｏｔｏＡＢ社、［平成１４年１０月３日検索］、インターネット＜ＵＲＬ：ｈｔｔｐ：／／ｈｔｔｐ：／／ｗｗｗ．ａｎｏｔｏｆｕｎｃｔｉｏｎａｌｉｔｙ．ｃｏｍ／ｎａｖｉｇａｔｅ．ａｓｐ＞
【０００４】
【発明が解決しようとする課題】
しかしながら上記の従来技術は、記入用紙に記録された情報のうちで、手書きデータ以外の情報を出力することはできなかった。したがって、記入用紙に記録された全ての情報をその場で、特にサーバに接続しないオフライン環境において電子的に再現することができないという課題があった。
【０００５】
そこで本発明は、上記の課題を解決することのできる記入用紙、用紙情報読取装置、用紙情報出力システム、及びプログラムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、記入用紙は、記入用紙の視認できる印刷内容をコード化して記録している印刷内容記録部と、記入用紙の記入箇所に印刷され、記入用紙上の座標を特定する座標特定パターンとを備える。印刷内容記録部は、バーコードであってもよいし、磁気的データ記録手段であってもよいし、光学的データ記録手段であってもよい。
【０００７】
印刷内容記録部は、外部から無線で供給される電力により動作し、記録しているデータを無線で出力するＩＣチップであってもよい。ＩＣチップは、無線によるデータの書き込みが可能であり、記入用紙に手書きデータを書き込むデータ入力ペンが、手書きデータの書き込み中に座標特定パターンを逐次読み取ることにより記入用紙に書き込まれた手書きデータを認識し、認識した手書きデータを出力したことに応じて、ＩＣチップは手書きデータを受信して格納してもよい。ＩＣチップは、データ入力ペンにより手書きデータが認識された日時をデータ入力ペンから受信して更に格納してもよい。
【０００８】
また、記入用紙への手書きデータを記入領域毎に無効にする訂正チェック領域がデータ入力ペンによって認識可能に印刷されており、訂正チェック領域がチェックされた旨をデータ入力ペンから取得した場合に、ＩＣチップは当該訂正チェック領域に対応する記入領域に既に書き込まれていた手書きデータの少なくとも一部を無効にしてもよい。更に、手書きデータの少なくとも一部が無効にされた記入領域に対応付けて設けられた予備の記入領域に書き込まれる手書きデータを訂正データとしてデータ入力ペンから受信した場合に、ＩＣチップは、無効にした手書きデータを訂正データで上書きしてもよい。
【０００９】
チェックされることにより、ユーザによる記入用紙への記入が完了したことを示す完了チェック領域をさらに備え、ＩＣチップは、完了チェック領域がチェックされた旨をデータ入力ペンから受信したことに応じて、データの書き込みを禁止してもよい。
【００１０】
本発明の第２の形態によれば、記入用紙の情報を読み取る用紙情報読取装置は、記入用紙に設けられ記入用紙の視認できる印刷内容をコード化して記録している印刷内容記録部から、印刷内容を読み取る印刷内容読取部と、記入用紙の記入箇所に印刷され記入用紙上の座標を特定する座標特定パターンを、記入用紙に手書きデータを書き込むデータ入力ペンが逐次読み取った履歴に基づいて、記入用紙に書き込まれた手書きデータを認識する手書きデータ認識部と、手書きデータ認識部が認識した手書きデータと印刷内容読取部が読み取った印刷内容とを対応付けて出力する出力部とを備える。手書きデータ認識部が認識した手書きデータを印刷内容記録部に書き込む書込部を更に備えてもよい。書込部は、手書きデータ認識部が手書きデータを認識した日時を更に印刷内容記録部に書き込んでもよい。
【００１１】
本発明の第３の形態によれば、記入用紙及び用紙情報読取装置を備え、記入用紙が含む情報を出力する用紙情報出力システムにおいて、記入用紙は、記入用紙の視認できる印刷内容をコード化して記録している印刷内容記録部と、記入用紙の記入箇所に印刷され、記入用紙上の座標を特定する座標特定パターンとを有し、用紙情報読取装置は、印刷内容記録部から、印刷内容を読み取る印刷内容読取部と、記入用紙に手書きデータを書き込むデータ入力ペンが座標特定パターンを逐次読み取った履歴に基づいて、記入用紙に書き込まれた手書きデータを認識する手書きデータ認識部と、手書きデータ認識部が認識した手書きデータと印刷内容読取部が読み取った印刷内容とを対応付けて出力する出力部とを有する。
【００１２】
本発明の第４の形態によれば、記入用紙の情報を読み取るコンピュータ用のプログラムは、記入用紙に設けられ記入用紙の視認できる印刷内容をコード化して記録している印刷内容記録部から、印刷内容を読み取る印刷内容読取機能と、記入用紙の記入箇所に印刷され記入用紙上の座標を特定する座標特定パターンを、記入用紙に手書きデータを書き込むデータ入力ペンが逐次読み取った履歴に基づいて、記入用紙に書き込まれた手書きデータを認識する手書きデータ認識機能と、手書きデータ認識機能によって認識された手書きデータと印刷内容読取機能によって読み取られた印刷内容とを対応付けて出力する出力機能とをコンピュータに実現させる。
【００１３】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１４】
図１は、本発明の一実施形態に係る用紙情報出力システム５００の構成を示す。用紙情報出力システム５００は、記入用紙に手書きされた情報と印刷された情報とを対応付けて出力することを目的とする。用紙情報出力システム５００は、少なくとも記入用紙１０と、記入用紙１０に手書きデータを記入するデータ入力ペン１００とを備える。記入用紙１０は、記入用紙１０の視認できる印刷内容をコード化して記録しているＩＣチップ２０と、記入用紙１０の記入箇所に印刷され、記入用紙上１０の座標を特定する座標特定パターン１２とを有する。座標特定パターン１２は、０．３ｍｍ程度の間隔で等間隔に設けられたグリッドと、グリッドの交点付近に設けられた細かなドットパターンで構成され、グリッドからのドットのずれの傾向が記入用紙１０上の座標に固有に定められている。
【００１５】
一方データ入力ペン１００は、ＩＣチップ２０から記入用紙１０の印刷内容を読み取る。印刷内容は、記入用紙１０を個々に識別する用紙ＩＤ２２を含んでもよい。そしてデータ入力ペン１００は、記入用紙１０に手書きデータを書き込む間にペン先に位置する座標特定パターン１２を逐次読み取ることにより、記入用紙１０に書き込まれた手書きデータを認識する。そして認識した手書きデータを読み取った印刷内容と共に出力する。
【００１６】
なお、データ入力ペン１００は本発明の用紙情報読取装置の一例である。また、ＩＣチップ２０は本発明の印刷内容記録部の一例であり、外部から無線で供給される電力により動作し、記録しているデータを無線で出力する。ＩＣチップ２０はさらに、無線によるデータの書き込みが可能であり、データ入力ペン１００が手書きデータを出力したことに応じて、当該手書きデータを受信して格納する。
【００１７】
用紙情報出力システム５００は更に、データ入力ペン１００と通信することにより記入用紙１０の手書きデータと印刷内容とを対応付けて受信し、表示する情報端末２００を更に備えてもよい。また、情報端末２００は、本発明の用紙情報読取装置の他の例であってもよい。この場合、データ入力ペン１００は手書きデータの書き込み中に座標特定パターン１２を逐次読み取り、読み取った座標特定パターン１２の履歴を情報端末２００に出力する。そして情報端末２００は記入用紙１０に書き込まれた手書きデータを座標特定パターン１２の履歴に基づいて認識し、ＩＣチップ２０から印刷内容を読み取り、印刷内容と手書きデータとを対応付けて、例えば重ね合わせてモニタに表示する。
【００１８】
以上のように、用紙情報出力システム５００は、記入用紙１０に印刷された情報と手書きで書き込まれた情報とを対応付けて情報端末２００に表示するので、記入用紙１０に記載された情報を電子的に再現することができる。これにより、ユーザは用紙情報出力システム５００に認識される記入用紙１０の情報をモニタで確認しながら記入用紙１０への記入を進めることができる。また、データ入力ペン１００を用いてＩＣチップ２０に手書きデータを記録するので、例えばデータ入力ペン１００以外のペンを用いて記入用紙１０の内容を改ざんしようとしても、ＩＣチップ２０に記録された手書きデータと比較することにより容易に改ざんを判別することができる。
【００１９】
情報端末２００は、サーバ５０にネットワーク８０経由で接続して、データ入力ペン１００から取得した手書きデータ及び印刷内容を例えば記入用紙１０毎に一括してサーバ５０に送信する。データ入力ペン１００が手書きデータをサーバ５０に送信する手段はこれに限られず、情報端末２００の代わりに携帯電話等の通信端末２５０を用いてもよい。あるいは、データ入力ペン１００自身がネットワーク８０に接続して手書きデータをサーバ５０に送信してもよい。
【００２０】
サーバ５０は、手書きデータ及び印刷内容を例えば手書きデータを記入したユーザのユーザＩＤ、手書きデータが認識された日時、及び用紙ＩＤ２２等の記入属性と共に受信し、これらを互いに対応付けて格納する。そしてユーザＩＤ、手書きデータが認識された日時、及び用紙ＩＤに基づいた情報端末２００からの照会に応じて、対応づけて格納している印刷内容及び手書きデータを抽出し、送信する。
【００２１】
データ入力ペン１００が記入用紙１０への手書きデータを取得する手段は、例えば公知のアノト（登録商標）ペンの技術を用いることができる。すなわち記入用紙１０に印刷された座標特定パターン１２をデータ入力ペン１００が逐次読み取ることにより、データ入力ペン１００の筆跡を判断する。
【００２２】
なお、本発明の印刷内容記録部は、上述のＩＣチップ２０の形態の他に、バーコードなどの図形情報として印刷で記録されてもよい。あるいはテープやホログラフ式光学記録手段などの、あらゆる既知の磁気的、光学的データ記録手段で記録されてもよい。バーコードは、情報を印刷で記録することによりＩＣチップ２０に比べて大幅なコストダウンが可能であるという利点を有する。また、磁気的あるいは光学的データ記録手段は、バーコードよりも多くのデータをＩＣチップ２０よりも低コストに記録できるという利点を有する。
【００２３】
図２は、本実施形態に係るデータ入力ペン１００の構成を示す。データ入力ペン１００は、記入用紙１０の印刷内容をＩＣチップ２０から読み取る印刷内容読取部１０２と、データ入力ペン１００が逐次読み取った座標特定パターン１２の履歴に基づいて記入用紙１０に書き込まれた手書きデータを認識する手書きデータ認識部１０４と、手書きデータ認識部１０４が認識した手書きデータと印刷内容読取部１０２が読み取った印刷内容とを対応付けて出力する出力部１０６とを少なくとも有する。
【００２４】
データ入力ペン１００はさらに、データ入力ペン１００を使用するユーザのユーザＩＤを取得するユーザＩＤ取得部１１４と、手書きデータ認識部１０４に認識された手書きデータを格納する格納部１１０と、格納部１１０に格納された手書きデータを無線でＩＣチップ２０に書き込む書込部１１２とを有する。書込部１１２は、ユーザＩＤ取得部１１４が取得したユーザＩＤと手書きデータ認識部１０４が手書きデータを認識した日時とに対応付けて、ＩＣチップ２０又は情報端末２００に手書きデータを書き込む。
【００２５】
本実施形態においてユーザＩＤ取得部１１４は、ユーザＩＤを読み取り可能に記録しているＩＤカード３００から無線によりユーザＩＤを読み取る。しかしながらユーザＩＤ取得部１１４がユーザＩＤを取得する方法はこれに限られず、例えばデータ入力ペン１００を使用するたびに、ユーザにユーザＩＤのキー入力を要求してもよい。あるいは、ユーザ毎の署名の特徴を示す照合データをユーザＩＤに対応付けて用紙情報出力システム５００のいずれかの場所に予め登録しておき、ユーザがデータ入力ペン１００を利用するたびに署名を要求し、手書きデータ認識部１０４が手書きデータとして取得する署名を照合データと照合することによりユーザＩＤを取得してもよい。これにより、本人確認の確実性を高めることができる。
【００２６】
また、書込部１１２は、ＩＣチップ２０及び格納部１１０の少なくとも一方に、それぞれに記録された手書きデータが原本であるか否かを更に記録する。また、ＩＣチップ２０及び格納部１１０の少なくとも一方に、手書きデータの原本が格納されている場所をさらに記録してもよい。これにより用紙情報出力システム５００は、手書きデータの原本が格納されている場所を容易に判断することができる。したがって、手書きデータを例えばサーバ５０に送信する必要がある場合に、原本と異なるデータを誤って送信することが防止される。
【００２７】
記録媒体６０は、印刷内容読取部１０２、手書きデータ認識部１０４、出力部１０６、格納部１１０、書込部１１２、及びユーザＩＤ取得部１１４を動作させるプログラムを格納する。データ入力ペン１００は、記録媒体６０からこれらのプログラムを読み取ってインストールする。データ入力ペン１００は、これらのプログラムをネットワーク経由で取得してもよい。
【００２８】
以上説明したように、本実施形態のデータ入力ペン１００によれば、記入用紙１０への手書き情報を印刷内容と共に情報端末２００のモニタに表示することができる。また、データ入力ペン１００を使用して書き込まれた手書き情報をＩＣチップ２０に書き込むことができるので、データ入力ペン１００を使用しない不正な書き込みをＩＣチップ２０の情報を読み取ることにより容易に判別することができる。
【００２９】
図３及び図４は、記入用紙１０の第１の例である自動車保険契約申込書を示す。なお、図３は申込書の左半分を示し、図４は残りの右半分を示す。申込書には、自動車保険契約の申し込みに必要な情報を記入する複数の記入領域が印刷されている。複数の記入領域は、契約内容を決定するための申告内容を記入する申告領域と、契約者の署名を記入する署名領域とを少なくとも含む。
【００３０】
本実施例において、図３の左上には用紙ＩＤの一例である証券番号が印刷されており、右上に設けられているＩＣチップ２０には同じ証券番号が記録されている。ＩＣチップ２０は記入用紙１０に一体に設けられており、例えば申込書から剥がせないような強度で貼り付けられていてもよいし、十分に薄い場合には申込書に埋め込まれていてもよい。
【００３１】
本実施形態において、記入用紙１０の一例である申込書には、手書きデータを記入領域毎に無効にする訂正チェック領域２４がデータ入力ペン１００によって読み取り可能に印刷されている。訂正チェック領域２４の形態は、例えば囲み線をデータ入力ペン１００でなぞることによって訂正が有効になる訂正チェック領域２４ａの形態（図３、図４）や、チェックボックス内をチェックすることにより訂正が有効になる訂正チェック領域２４ｂの形態（図４）などである。訂正チェック領域２４の周囲には訂正後の手書きデータを書き込む予備の記入領域２６が設けられていてもよい。
【００３２】
例えば訂正チェック領域２４ａの形態によって手書きデータを訂正する場合、ユーザはまず、訂正する項目が属する領域に設けられた訂正チェック領域２４ａの囲み線をデータ入力ペン１００でなぞる。次に、取り消したい箇所に２本線を上書きする。そして上書きした２本線の周囲、例えば上側に訂正後の内容を書き加えることによって訂正を完了する。一方、訂正チェック領域２４ｂの形態によって手書きデータを訂正する場合、ユーザはまず、訂正する項目が属する領域に設けられた訂正チェック領域２４ｂのボックス内をデータ入力ペン１００でチェックする。そしてチェックしたボックスに対応した位置、たとえば同じ枠内に設けられた予備の記入領域２６に訂正後の内容を書き加えることによって訂正を完了する。
【００３３】
訂正チェック領域２４がチェックされた旨を手書きデータ認識部１０４が認識すると、書込部１１２はチェックされた訂正チェック領域２４に対応する記入領域に書き込まれた手書きデータの少なくとも一部を無効にする。例えば、訂正チェック領域２４ａの囲み線がなぞられたこと、並びに既に書き込まれていた手書きデータ上に２本線が上書きされたことを検出した場合、格納部１１０、ＩＣチップ２０、及び情報端末２００の少なくともいずれかに既に格納されている手書きデータのうちで、２本線で上書きされた手書きデータに対応する情報を無効にする。そして無効にした情報を２本線の周囲、例えば上側に書き込まれる手書きデータにより上書きする。一方、訂正チェック領域２４ｂがチェックされたことを検出した場合、格納部１１０、ＩＣチップ２０、及び情報端末２００の少なくともいずれかに既に格納されている手書きデータのうちで、チェックされた訂正チェック領域２４ｂに対応する記入領域に書き込まれていた手書きデータに対応する情報を無効にする。そして、チェックされた訂正チェック領域２４ｂに対応して設けられた予備の記入領域２６に書き込まれる手書きデータを訂正データとして書き込む。この様にして、用紙情報出力システム５００は、一旦入力された手書きデータの訂正を容易に行うことができる。
【００３４】
本実施形態に係る申込書は更に、ユーザによる記入が完了したことを示す完了チェック領域３０を含む。完了チェック領域３０は、訂正チェック領域２４と同様に様々な形態が考えられる。図３の右下に描かれたチェックボックスはその一例である。完了チェック領域３０がチェックされた旨を手書きデータ認識部１０４が認識すると、書込部１１２はその旨をＩＣチップ２０に送信する。ＩＣチップ２０は完了チェック領域３０がチェックされた旨をデータ入力ペン１００から受信したことに応じて、それ以降のデータの書き込みを禁止する。これにより、ユーザによる申込書の記入が完了した後に、第３者により申し込み内容が改ざんされることが防止できる。
【００３５】
図５は、用紙情報出力システム５００が記入用紙１０の情報を読み取って出力する動作の一例を示す。まず記入用紙１０の発行会社、例えば保険会社等は、記入用紙１０を印刷し（Ｓ１００）、印刷データをＩＣチップ２０に記録する（Ｓ１０２）。記入用紙１０に例えば連番などの用紙ＩＤが付与される場合には、ステップ１０２において、この用紙ＩＤを印刷データと共にＩＣチップ２０に記録する。その後発行会社は、記入用紙１０を例えば保険代理店などに配布する（Ｓ１０４）。
【００３６】
記入用紙１０に手書きデータを書き込む場合、ユーザがデータ入力ペン１００にＩＤカード３００をかざすと、ユーザＩＤ取得部１１４はＩＤカード３００からユーザＩＤを読み取る（Ｓ１０６）。ここで、記入用紙１０のユーザが予め限定されている場合には、ユーザＩＤ取得部１１４は、読み取ったユーザＩＤが予め登録されているユーザＩＤに含まれているか否かによってユーザ認証を行ってもよい。そして、ユーザ認証が成立した場合のみデータ入力ペン１００の機能を有効にしてもよい。
【００３７】
次に、ユーザがデータ入力ペン１００をＩＣチップ２０にかざすと、印刷内容読取部１０２はＩＣチップ２０に記録された印刷内容を読み取る（Ｓ１０８）。このとき出力部１０６は、印刷内容読取部１０２が読み取った印刷内容を情報端末２００に送信し、情報端末２００は出力部１０６から受信する印刷内容をモニタに出力する。次に、ユーザがデータ入力ペン１００を用いて記入用紙１０の記入領域に手書き情報を書き込むと、手書きデータ認識部１０４はペン先に位置する座標特定パターン１２を逐次読み取ることにより、記入用紙１０に書き込まれた手書きデータを認識する（Ｓ１１０）。
【００３８】
格納部１１０は、手書きデータ認識部１０４が認識した手書きデータを逐次格納する（Ｓ１１２）。ステップ１１０において、出力部１０６は、手書きデータ認識部１０４が認識した手書きデータを情報端末２００に逐次出力してもよい。情報端末２００は、出力部１０６から受信する手書きデータを予め受信した印刷内容に重ね合わせて表示する。これにより、ユーザは用紙情報出力システム５００によって認識されている記入用紙１０の状態を確認しながら手書きデータの入力をおこなうことができる。
【００３９】
次に、訂正チェック領域２４がチェックされたか否かを手書きデータ認識部１０４が判断する（Ｓ１１４）。ステップ１１４において訂正チェック領域２４がチェックされたと判断されると（Ｓ１１４：Ｙ）、書込部１１２はその旨をＩＣチップ２０に送信し、ＩＣチップ２０はチェックされた訂正チェック領域２４に対応する記入領域に書き込まれた手書きデータの少なくとも一部を無効にする（Ｓ１１６）。そして、書込部１１２は、手書きデータの少なくとも一部が無効にされた記入領域に対応付けて設けられた予備の記入領域２６に書き込まれる手書きデータを訂正データとしてＩＣチップ２０に送信し、ＩＣチップ２０は無効にした手書きデータを訂正データで上書きする（Ｓ１１８）。このようにして、用紙情報出力システム５００は、一旦入力された手書きデータの訂正を容易に行うことができる。
【００４０】
データ入力ペン１００は、手書きデータをＩＣチップ２０に書き込む指示をユーザから受け付けたか否かを判断する（Ｓ１２０）。ステップ１２０において、書き込み指示を受け付けていないと判断された場合（Ｓ１２０：Ｎ）、ステップ１１０に戻り、引き続き手書きデータを受け付ける。ステップ１２０において、書き込み指示を受け付けたと判断された場合（Ｓ１２０：Ｙ）、書込部１１２は、手書きデータが認識された日時、手書きデータを書き込んだユーザのユーザＩＤ、及び記入用紙１０の用紙ＩＤと共に、手書きデータをＩＣチップ２０に書き込む（Ｓ１２２）。ステップ１２２において、書込部１１２はＩＣチップ２０に書き込むデータと同様のデータを情報端末２００に書き込んでもよい。
【００４１】
書込部１１２は、格納部１１０、ＩＣチップ２０、及び情報端末２００のそれぞれに、格納している手書きデータが原本であるか否かの情報を書き込む。書込部１１２はさらに手書きデータの原本の格納場所を示す情報を書き込んでもよい。手書きデータの原本の格納場所は、ユーザが任意に設定することができる。情報端末２００は、書込部１１２から書き込まれた情報をモニタに出力する（Ｓ１２４）。
【００４２】
次に手書きデータ認識部１０４は、完了チェック領域３０がチェックされたか否かを判断する（Ｓ１２６）。ステップ１２６において、完了チェック領域３０がチェックされていないと判断されると（Ｓ１２６：Ｎ）、データ入力ペン１００はステップ１１０に戻り、引き続き手書きデータを認識する。ステップ１２６において、完了チェック領域３０がチェックされたと判断されると（Ｓ１２６：Ｙ）、書込部１１２はその旨をＩＣチップ２０、情報端末２００、及び格納部１１０のそれぞれに送信する。ＩＣチップ２０、情報端末２００、及び格納部１１０のそれぞれは、完了チェック領域３０がチェックされた旨を受信したことに応じて、それ以降のデータの書き込みを禁止する（Ｓ１２８）。これにより、ユーザによる申込書の記入が完了した後に、第３者により申し込み内容が改ざんされることが防止できる。以上で本フローは終了する。
【００４３】
上記説明から明らかなように、本実施形態によれば、用紙情報出力システム５００は、記入用紙１０への手書き情報を印刷情報と共に格納し、必要に応じて表示することができる。したがってユーザは、用紙情報出力システム５００によって電子的に認識された記入用紙１０の情報をいつでも確認することができる。
【００４４】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【図１】本発明の一実施形態に係る用紙情報出力システム５００の構成を示す図である。
【図２】データ入力ペン１００の構成を示すブロック図である。
【図３】記入用紙１０の第１の例である自動車保険契約申込書の左半分を示す。
【図４】自動車保険契約申込書の残りの右半分を示す。
【図５】用紙情報出力システム５００が記入用紙１０の情報を読み取って出力する動作の一例を示す。
【符号の説明】
１０  記入用紙                      １２  座標特定パターン
２０  ＩＣチップ                    ２２  用紙ＩＤ
２４  訂正チェック領域              ３０  完了チェック領域
５０  サーバ                        ６０  記録媒体
８０  ネットワーク                  １００  データ入力ペン
１０２  印刷内容読取部              １０４  手書きデータ認識部
１０６  出力部                      １１０  格納部
１１２  書込部                      １１４  ユーザＩＤ取得部
２００  情報端末                    ２５０  通信端末
３００  ＩＤカード                  ５００  記入適否判断システム
【図１】
2004249491.tif 000003
【図２】
2004249491.tif 000004
【図３】
2004249491.tif 000005
【図４】
2004249491.tif 000006
【図５】
2004249491.tif 000007